(57)【要約】【課題】  液晶パネル面での輝度差の低減を図るようにしたバックライト装置および液晶表示装置を提供することを目的とする。【解決手段】  画像情報を表示する液晶パネル２１を背面から照射する光源部３１と、この光源部３１と液晶パネル２１との間に配設され、光源部３１から出射された出射光を均一にする光学部３２と、光源部３１を内部に配設したリアフレーム３３とを備えたバックライト装置３において、光源部３１は、複数の蛍光ランプ５を並設して形成され、蛍光ランプ５は、直管部５１を有するガラスランプ管５Ｔと、このガラスランプ管５Ｔの直管部５１の端部に設けられた外部接続部５ａとを更に備え、当該バックライト装置３が使用状態において、蛍光ランプ５は、外部接続部５ａの少なくとも一方の外部接続部５ａが上方となり、直管部５１が垂直に立てた姿勢となるように配設し、かつ、上方となった外部接続部５ａから給電する。【選択図】図３
2009081085.tif 000002
【特許請求の範囲】
【請求項１】
画像情報を表示する液晶パネルを背面から照射する光源部と、この光源部と前記液晶パネルとの間に配設され、前記光源部から出射された出射光を均一にする光学系部材を有する光学部と、前記光源部を内部に配設したリアフレームとを備えたバックライト装置において、
前記光源部は、複数の蛍光ランプを並設して形成され、前記蛍光ランプは、直管部を有するガラスランプ管と、このガラスランプ管の前記直管部の端部に設けられた外部接続部とを更に備え、当該バックライト装置が使用状態において、前記蛍光ランプは、前記外部接続部の少なくとも一方の外部接続部が上方となり、前記直管部が垂直に立てた姿勢となるように配設し、かつ、上方となった前記外部接続部から給電するようにしたことを特徴とするバックライト装置。
【請求項２】
前記光源部を駆動するインバータ回路を、更に備え、前記インバータ回路は、前記リアフレームの背面の上方に配設したインバータプリント配線基板に実装され、前記インバータ回路と、前記蛍光ランプの上方に位置する前記外部接続部とは、前記リアフレームの上方部分を経由するリード線により電気的に接続したことを特徴とする請求項１に記載のバックライト装置。
【請求項３】
前記蛍光ランプは、直管型の蛍光ランプであって、前記直管部の両端に外部接続部を備え、当該外部接続部のうち下方に位置する外部接続部は、隣接する蛍光ランプの下方に位置する外部接続部とリード線を介して電気的に接続したことを特徴とする請求項１または請求項２に記載のバックライト装置。
【請求項４】
前記蛍光ランプは、前記直管部と、曲がり部とからなりＵ字状に形成したガラスランプ管からなる屈曲型の蛍光ランプであって、前記曲がり部は、当該バックライト装置が使用状態において、下方に位置するように配設したことを特徴とする請求項１または請求項２に記載のバックライト装置。
【請求項５】
画像情報を表示する液晶パネルを背面から照射する光源部と、この光源部と前記液晶パネルとの間に配設され、前記光源部から出射された出射光を均一にする光学系部材を有する光学部と、前記光源部を内部に配設したリアフレームとからなるバックライト装置を備えた液晶表示装置において、
前記バックライト装置の前記光源部は、複数の蛍光ランプを並設して形成され、前記蛍光ランプは、直管部を有するガラスランプ管と、このガラスランプ管の前記直管部の端部に設けられた外部接続部とを更に備え、当該バックライト装置が使用状態において、前記蛍光ランプは、前記外部接続部の少なくとも一方の外部接続部が上方となり、前記直管部が垂直に立てた姿勢となるように配設し、かつ、上方となった前記外部接続部から給電するようにしたことを特徴とする液晶表示装置。
【発明の詳細な説明】
【技術分野】
【０００１】
本発明は、例えば、液晶表示装置の液晶パネルを背面から照射する直下型のバックライト装置およびこのバックライト装置を備えた液晶表示装置に関し、特に、簡単な構成により、液晶パネル面での輝度差の低減を図るようにしたものである。
【背景技術】
【０００２】
例えば、液晶型テレビジョン、計器表示装置、などに用いられる液晶表示装置にあっては、バックライト装置の明るさがより均一であることが強く要望される傾向にある。
【０００３】
従来のこの種バックライト装置としては、陰極管蛍光ランプ（以下単に、「蛍光ランプ」と称す。）の形状や配置の向きによって種々のものが提案されている。例えば、長尺状のガラスランプ管を用いた直管型の蛍光ランプを、使用状態において、垂直に立てた姿勢とし、横方向に等間隔に複数本配置したものがある(例えば、特許文献１および特許文献２参照）。
【０００４】
一般的に、蛍光ランプは、特性上周囲温度が、５５℃〜７５℃、好ましくは、６５℃近辺で輝度が明るく、５５℃未満或いは７５℃を超えると輝度が低下する傾向にある。ところが、上述の特許文献１および特許文献２に記載の構成によれば、蛍光ランプ間の輝度差は生じないものの、個々の蛍光ランプにおいては、蛍光ランプの発熱により、上方が８５℃近辺まで温度が上昇し、上方と下方とでは温度差が生じる。この結果、蛍光ランプの周囲温度の変化による高さ（垂直）方向の輝度は、図１１（ａ）に温度による輝度変化を線Ｔｋで示すように、上方（Ｈ）の温度が８５℃近辺となり暗く、下方（Ｌ）の温度が５５℃〜６５℃で、明るくなり、上下方向において輝度差が生じ、バックライト装置全体として輝度ムラが生じる。なお、図１１（ａ）は、蛍光ランプの温度による輝度変化を示す概念図で、図１１（ａ）において、縦軸は、蛍光ランプの高さ方向の位置を示し、Ｈが上方で、Ｌが下方である。また、横軸は、輝度（明暗）を示す。
【０００５】
この対策として、例えば、直管部と、曲がり部とからなりＵ字状に形成したガラスランプ管からなる屈曲型の蛍光ランプを用い、バックライト装置が使用状態において、蛍光ランプは、外部接続部が下方となり、直管部が垂直に立てた姿勢となるように配設したものがある(特許文献３参照）。
【特許文献１】特開平５−１１９３１６号公報
【特許文献２】特開２００２−２１４６０５号公報
【特許文献３】特開２００５−３３２８１３号公報
【発明の開示】
【発明が解決しようとする課題】
【０００６】
ところで、最近の液晶表示装置では、薄型テレビジョンやパーソナルコンピュータの普及に伴い、高輝度化，大画面化に対する要望や、液晶表示装置の特徴である薄型、軽量、低消費電力に対する要求が益々強くなってきた。このため、輝度を上げるために蛍光ランプ点灯周波数を高くすることで対応してきたが、特に、点灯周波数が高くなると、蛍光ランプからリフレクタやリアフレーム（シャーシ）などへの漏れ電流が大きくなる。また、一般的に、蛍光ランプの給電部（外部接続部）から遠ざかるにしたがって漏れ電流は増加する。この結果、特許文献３記載の配置構成の蛍光ランプは、給電部である外部電極部からの距離が遠くなる上方では、漏れ電流が大きくなり、暗くなる。即ち、外部電極部からの距離に基因する漏れ電流の変化による高さ（垂直）方向の輝度は、図１１（ｂ）に漏れ電流による輝度変化を線Ｉｋで示すように、外部電極部からの距離が遠くなるほど、即ち、上方（Ｈ）になるほど漏れ電流による影響が大きくなり、輝度が低下する傾向にある。従って、特許文献３記載の構成では、下方に外部電極部があることから、上方（Ｈ）は、漏れ電流による輝度の低下と、前述した温度による輝度の低下が相乗し、図１１（ｃ）に蛍光ランプの高さ方向における輝度変化を線Ｋで示すように、蛍光ランプの輝度は、上方に向かうほど低下する。このため、蛍光ランプの上下方向で、よりバックライト装置全体として輝度ムラが生じるなどいった問題があった。なお、図１１（ｂ）は、蛍光ランプの漏れ電流による輝度変化を示す概念図、図１１（ｃ）は、上述した温度変化による輝度変化（Ｔｋ）と、蛍光ランプの外部電極部からの距離による漏れ電流変化による輝度変化（Ｉｋ）とを加えた状態の蛍光ランプの高さ方向における輝度変化を示す概念図である。図１１（ｂ）および（ｃ）において、縦軸は、蛍光ランプの高さ方向の位置を示し、Ｈが上方で、Ｌが下方である。また、横軸は、輝度（明暗）を示す。
【０００７】
本発明は、上述した問題を解決するためになされたものであり、簡単な構成により、液晶パネル面での輝度差の低減を図るようにしたバックライト装置およびこのバックライト装置を備えた液晶表示装置を提供することを目的とする。
【課題を解決するための手段】
【０００８】
かかる目的を達成するため、本発明では、画像情報を表示する液晶パネルを背面から照射する光源部と、この光源部と液晶パネルとの間に配設され、光源部から出射された出射光を均一にする光学系部材を有する光学部と、光源部を内部に配設したリアフレームとを備えたバックライト装置において、光源部は、複数の蛍光ランプを並設して形成され、蛍光ランプは、直管部を有するガラスランプ管と、このガラスランプ管の直管部の端部に設けられた外部接続部とを更に備え、当該バックライト装置が使用状態において、蛍光ランプは、外部接続部の少なくとも一方の外部接続部が上方となり、直管部が垂直に立てた姿勢となるように配設し、かつ、上方となった外部接続部から給電する。
【０００９】
この構成によれば、バックライト装置が使用状態において、蛍光ランプは、外部接続部の少なくとも一方の外部接続部が上方となり、直管部が垂直に立てた姿勢となるように配設され、上方となった外部接続部から給電されている。従って、温度上昇によって輝度が暗くなる上方から給電されているので、上方の漏れ電流は少なく、漏れ電流に伴う輝度の低下は、少ない。他方、漏れ電流が増加し、これに伴って輝度が低下する下方は、温度上昇に伴う輝度低下がない。この結果、蛍光ランプの上下方向における輝度ムラが解消され、バックライト装置として、より均一な輝度の照明が可能となる。
【００１０】
また、本発明においては、光源部を駆動するインバータ回路を、更に備え、インバータ回路は、リアフレームの背面の上方に配設したインバータプリント配線基板に実装され、インバータ回路と、蛍光ランプの上方に位置する外部接続部とは、リアフレームの上方部分を経由するリード線により電気的に接続する。
【００１１】
この構成によれば、インバータ回路は、リアフレームの背面の上方に配設したインバータプリント配線基板に実装され、インバータ回路と、蛍光ランプの外部接続部とは、リアフレームの上方部分を経由するリード線により電気的に接続している。従って、発熱を伴うインバータ回路が上方にあるので、インバータ回路による発熱は、速やかに上方に排出され、蛍光ランプの周囲の温度を上昇させることがなく、都合がよい。
【００１２】
また、本発明においては、蛍光ランプは、直管型の蛍光ランプであって、直管部の両端に外部接続部を備え、当該外部接続部のうち下方に位置する外部接続部は、隣接する蛍光ランプの下方に位置する外部接続部とリード線を介して電気的に接続する。
【００１３】
この構成によれば、蛍光ランプは、直管型の蛍光ランプであって、直管部の両端に外部接続部を備え、当該外部接続部のうち下方に位置する外部接続部は、隣接する蛍光ランプの下方に位置する外部接続部とリード線を介して電気的に接続している。従って、従来から使用されている、直管型の蛍光ランプを用いることができ、都合が良い。
【００１４】
また、本発明においては、蛍光ランプは、前記直管部と、曲がり部とからなりＵ字状に形成したガラスランプ管からなる屈曲型の蛍光ランプであって、曲がり部は、当該バックライト装置が使用状態において、下方に位置するように配設する。
【００１５】
この構成によれば、蛍光ランプは、直管部と、曲がり部とからなりＵ字状に形成したガラスランプ管からなる屈曲型の蛍光ランプであって、曲がり部は、当該バックライト装置が使用状態において、下方に位置するように配設している。従って、蛍光ランプの下方での接続作業を省略することができ、都合が良い。
【００１６】
更に、本発明においては、画像情報を表示する液晶パネルを背面から照射する光源部と、この光源部と前記液晶パネルとの間に配設され、光源部から出射された出射光を均一にする光学系部材を有する光学部と、光源部を内部に配設したリアフレームとからなるバックライト装置を備えた液晶表示装置において、バックライト装置の光源部は、複数の蛍光ランプを並設して形成され、蛍光ランプは、直管部を有するガラスランプ管と、このガラスランプ管の直管部の端部に設けられた外部接続部とを更に備え、当該バックライト装置が使用状態において、蛍光ランプは、外部接続部の少なくとも一方の外部接続部が上方となり、直管部が垂直に立てた姿勢となるように配設し、かつ、上方となった外部接続部から給電する。
【００１７】
この構成によれば、バックライト装置が使用状態において、蛍光ランプは、外部接続部が上方となり、直管部が垂直に立てた姿勢となるように配設さ、上方となった外部接続部から給電されている。従って、温度上昇によって輝度が暗くなる上方から給電されているので、上方の漏れ電流は少なく、漏れ電流に伴う輝度の低下は、少ない。他方、漏れ電流が増加し、これに伴って輝度が低下する下方は、温度上昇に伴う輝度低下がない。この結果、蛍光ランプの上下方向における輝度ムラが解消され、バックライト装置として、より均一な輝度の照明が可能となり、液晶パネル面での輝度差の低減を図ることができ、より鮮明な画像を表示することができる液晶表示装置を得ることができる。
【発明の効果】
【００１８】
本発明によれば、簡単な構成により、液晶パネル面での輝度差の低減を図るようにしたバックライト装置およびこのバックライト装置を備えた液晶表示装置を得ることができる。
【発明を実施するための最良の形態】
【００１９】
（第１実施形態）
以下、本発明の一実施形態を図１乃至図５に基づいて説明する。図１は、本発明の一実施形態に係るバックライト装置を有する液晶表示装置を用いた液晶テレビジョンの概略構成を示すブロック図、図２は、図１に示す液晶テレビジョンの概略構成を示す正面図である。図３は、バックライト装置の概略構成を示す正面図、図４は、図３に示すバックライト装置の側面図、図５は、図３に示す直管型の蛍光ランプの概略構成を示す一部を断面した断面図である。
【００２０】
図１に示すように、例えば、地上デジタルのテレビ放送が受信できる液晶テレビジョン１は、テレビジョン受信手段１１と、このテレビジョン受信手段１１からの出力信号に基づいて画像情報を表示する液晶表示装置２と、テレビジョン受信手段１１からの出力信号に基づいて音声を発するスピーカなどからなる音声部１２と、装置の全体的な制御を統括して行う制御手段１３と、各部に電力を供給する電源部１４と、操作パネル１５と、これらテレビジョン受信手段１１、液晶表示装置２、音声部１２、制御手段１３および電源部１４などを収納する筐体１６とから構成されている。
【００２１】
液晶テレビジョン１は、例えば、図２に示す厚みの薄い略矩形状の筐体１６により構成されている。筐体１６は、例えば、スタンド機構１７などにより略鉛直（垂直）に正立され、その正面側に矩形状の開口１６１が設けられている。開口１６１には、画像情報を表示する表示手段である、液晶表示装置２の表示面である液晶パネル２１が嵌め込まれ、この液晶パネル２１において映像などの画像を表示することが可能となっている。また、例えば、液晶表示装置２の下方には、音声部であるスピーカ１２が配設されている。
【００２２】
テレビジョン受信手段１１は、アンテナＡを介して受信した地上デジタルの放送信号の中から、ユーザにより設定入力されたチャンネルの放送信号の選局・復調を行って、映像信号・音声信号を出力する。このテレビジョン受信手段１１は、例えば、地上デジタルの放送信号を選択的に受信する地上デジタルチューナ１１１と、地上デジタルの放送信号を復調する地上デジタル復調部１１２と、復調されたストリーム信号から映像データ、音響データ、番組情報や文字情報や制御データなどを含む付加情報をデコードするＴＳ（Ｔｒａｎｓｐｏｒｔ  Ｓｔｒｅａｍ）デコーダー１１３と、映像データを復号して映像信号を出力するビデオデコーダー１１４と、音響データを復号して音声信号を出力するオーディオデコーダー１１５とから構成されている。
【００２３】
液晶表示装置２は、液晶パネル２１と、パネル駆動回路２２と、バックライト装置３と、インバータ回路４とから構成されている。パネル駆動回路２２は、ビデオデコーダー１１４から入力されたＲＧＢ信号に基づき、液晶パネル２１の画素数（横縦比・ｍ：ｎ）に合わせたスケーリング処理を行い、液晶パネル２１に表示する１画面分の画像データを生成する。そして、この生成された画像データを液晶パネル２１に出力する。バックライト装置３は、液晶パネル２１の背面に設置され、後述するように、蛍光ランプなどからなる光源部３１（図４参照）を備え、液晶パネル２１の背面から光を照射する。インバータ回路４は、例えば、整流器や昇圧用の変圧器などを備え、電源部１４から供給された直流電圧を、所望の高周波数の交流電圧に変換するとともに、昇圧し、当該交流電圧をバックライト装置３の光源部３１に給電し、光源部３１を点灯させる。
【００２４】
制御手段１３は、装置の全体的な制御を統括して行うマイクロコンピュータ（マイクロコントローラ）から構成されている。この制御手段１３には、作業用のメモリ空間を提供するＲＡＭ（Ｒａｎｄｏｍ  Ａｃｃｅｓｓ  Ｍｅｍｏｒｙ）１７と、制御プログラムや制御データが格納される不揮発性メモリ１８などが接続されている。操作パネル１５には、複数の操作ボタンやリモコン受信部１５１が設けられ外部からの指示操作を受け付けるように構成されている。これにより、制御手段１３は、操作パネル１５およびリモコン受信部１５１を介してリモコンＲから入力される種々のコマンド信号に応じて各部に制御信号を発して所定の動作を行わせる。なお、ＲＡＭ１７や不揮発性メモリ１８はマイクロコンピュータと一体的に集積された構成としても良いのは、勿論である。また、地上デジタルの放送信号には、制御データとして様々な情報が含まれており、その中には、放送局名など放送局を識別する情報、放送局の系列が表わされた系列ＩＤ（“ａｆｆｉｌｉａｔｉｏｎ  ｉｄ”と記述される）、１ｃｈ〜１２ｃｈの選局番号のうち放送局により割り当て用として推奨され選局番号を示すリモコンキーＩＤ（“ｒｅｍｏｔｅ  ｃｏｎｔｒｏｌ  ｋｅｙ  ｉｄ"と記述される）などがある。そして、これらのデータは、ＴＳデコーダー１１３においてデコードされて制御手段１３へ送られるようになっている。
【００２５】
かかる構成により、ユーザは、例えば、筐体１６に設けられた操作パネル１５或いはリモコンＲを操作し、所望のチャンネルに合わせることにより、液晶表示装置２の液晶パネル２１に表示される画像を観ることができ、同時にスピーカ１２から音声を聴くことができる。
【００２６】
而して、本発明に従い、バックライト装置３は、図３乃至図５に示すように、画像情報を表示する液晶パネル２１を背面から照射する光源部３１と、この光源部３１と液晶パネル２１との間に配設され、光源部３１から出射された出射光を均一にする光学系部材を有する光学部３２と、光源部３１を内部に配設したリアフレーム３３とから構成されている。光源部３１とリアフレーム３３の内面との間には、必要に応じてリフレクタ（反射板）３４が配設されている。リアフレーム３３は、例えば、金属板からなり、プレス加工により断面形状がコ字状或いは箱状に製作されている。
【００２７】
光源部３１は、図示する例では、例えば、直管部５１の両端に外部接続部５ａ、５ｂが設けられた直管型の蛍光ランプ５を複数本並設し、これら蛍光ランプ５は、当該バックライト装置３が使用状態において、外部接続部５ａ、５ｂの少なくとも一方の外部接続部５ａが上方となり、直管部５１が垂直に立てた姿勢となるように配設されている。そして、上方に位置する外部接続部５ａは、リアフレーム３３の背面に設けられたインバータ用プリント回路基板４１に実装されたインバータ回路４に、リアフレーム３３の上方部分を経由するリード線６ａを介して接続されている。また、下方に位置する外部接続部５ｂは、隣接する蛍光ランプ５の下方に位置する外部接続部５ｂとリード線６ｂを介して電気的に接続され、２本の蛍光ランプ５，５が一対として形成され、上方に位置する外部接続部５ａ、５ａから給電されている。また、リアフレーム３３の背面には、制御手段１３などが実装された主プリント回路基板８が装着されている。
【００２８】
蛍光ランプ５は、図５に示すように、電極を兼ねた外部接続部５ａ、５ｂを有するものを用いたものである。即ち、ガラスランプ管５Ｔの内壁に蛍光膜５２を形成し、ガラスランプ管５Ｔの内部に１種類以上の希ガス、または水銀および１種類以上の希ガスを封入し、ガラスランプ管５Ｔの両端５１ｅを閉塞し、そのガラスランプ管５Ｔの両端５１ｅの外面に電極を設けて外部接続部５ａ、５ｂを形成したものである。
【００２９】
光学部３２は、光源部３１から出射された出射光を均一に拡散する機能を有しており、例えば、各種の光学系部材を備えている。図示する例では、この光学系部材としては、例えば、プリズムシート７１、拡散シート７２および拡散板７３から構成されている。プリズムシート７１は、液晶パネル２１に向かって進行する光を透過するとともに集光する機能を有している。また、拡散シート７２は、液晶パネル２１に向かって進行する出射光を透過するとともに拡散する機能を有している。また、拡散板７３は、光源部３１から照射された出射光を液晶パネル２１の表示面に向けて均一に拡散する機能を有している。これらプリズムシート７１、拡散シート７２および拡散板７３は、拡散板７３の光源部３１側に配設された光学部用フレーム７４と、図示しないベゼルとにより、例えば、ネジなどからなる締結具により締め付けられている。
【００３０】
図６は、本実施形態における蛍光ランプ５の高さ方向と輝度との関係を説明するための図で、図６（ａ）は、温度変化による輝度変化Ｔｋを示す概念図、図６（ｂ）は、漏れ電流による輝度変化Ｉｋを示す概念図、図６（ｃ）は、温度による輝度変化Ｔｋと、漏れ電流による輝度変化Ｉｋを総合したバックライト装置３としての輝度変化Ｋを示す概念図である。なお、図６において、縦軸は、蛍光ランプの高さ方向の位置を示し、Ｈが上方で、Ｌが下方である。また、横軸は、輝度（明暗）を示す。
【００３１】
以上の構成による本実施形態によれば、バックライト装置３が使用状態において、蛍光ランプ５は、外部接続部５ａ、５ｂの少なくとも一方の外部接続部５ａが上方となり、直管部５１が垂直に立てた姿勢となるように配設され、上方に位置する外部接続部５ａから給電されている。従って、図６から明らかなように、温度上昇によって輝度が暗くなる上方に、外部接続部５ａが配設され、給電されているので、上方の漏れ電流は少なく、漏れ電流に伴う輝度の低下は少ない。他方、漏れ電流が増加し、これに伴って輝度が低下する下方は、温度上昇に伴う輝度低下がない。この結果、蛍光ランプの上下方向における輝度は、図６（ｃ）に示すように均一化され、輝度ムラが解消され、バックライト装置３として、より均一な輝度の照明が可能となる。また、バックライト装置として、より均一な輝度の照明が可能となり、液晶パネル面での輝度差の低減を図ることができるので、より鮮明な画像を表示することができる液晶表示装置を得ることができる。
【００３２】
また、本実施形態によれば、インバータ回路４は、リアフレーム３３の背面の上方に配設したインバータプリント配線基板４１に実装され、インバータ回路４と、蛍光ランプ５の外部接続部５ａとは、リアフレーム３３の上方部分を経由するリード線６ａにより電気的に接続している。従って、発熱を伴うインバータ回路４が上方にあるので、インバータ回路４による発熱は、速やかに上方に排出され、蛍光ランプ５の周囲の温度を上昇させることがなく、都合がよい。
【００３３】
更に、本実施形態によれば、蛍光ランプ５は、直管型の蛍光ランプ５であって、直管部５１の両端に外部接続部５ａ、５ｂを備え、当該外部接続部５ａ、５ｂのうち下方に位置する外部接続部５ｂは、隣接する蛍光ランプ５の下方に位置する外部接続部５ａ、５ｂとリード線６ｂを介して電気的に接続され、２本の蛍光ランプ５，５が一対として形成され、上方に位置する外部接続部５ａ、５ａから給電されている。従って、従来から使用されている、直管型の蛍光ランプ５を用いることができ、都合が良い。
（第２実施形態）
【００３４】
次に、本発明の他の実施形態について図７乃至図１０を参照しながら説明する。図７は、本発明の他の実施形態に係るバックライト装置の概略構成を示す正面図、図８は、図７に示すバックライト装置の側面図、図９は、図７に示す屈曲型の蛍光ランプの概略構成を示す一部を断面した断面図である。図１０は、屈曲型の蛍光ランプの他の例を示す概略構成断面図である。なお、図７乃至図１０において、上述した図１乃至図６と同じ符号を付した部分は、略同一のものを示すため、ここでは詳細な説明は省略する。以下、上述した第１実施形態との相違点を中心に説明する。
【００３５】
本実施形態では、図７乃至図９に示すように、バックライト装置２の光源部３１の蛍光ランプ５は、直管部５１、５１と、曲がり部５３とからなりＵ字状に形成したガラスランプ管５Ｔからなる屈曲型のものであって、当該バックライト装置３が使用状態において、外部接続部５ａ、５ｂが上方となり、曲がり部５３は、下方に位置し、直管部５１、５１が垂直に立てた姿勢となるように配設されている。そして、外部接続部５ａ、５ｂは、上述した第１実施形態と同様、リアフレーム３３の背面に設けられたインバータ用プリント回路基板４１に実装されたインバータ回路４に、リアフレーム３３の上方部分を経由するリード線６ａを介して接続されている。
【００３６】
また、屈曲型の蛍光ランプ５としては、例えば、図１０に示すように、ガラスランプ管５Ｔの内壁に蛍光膜５２を形成し、ガラスランプ管５Ｔの内部に１種類以上の希ガス、または水銀および１種類以上の希ガスを封入し、ガラスランプ管５Ｔの両方の端部３１ｅに導入線５４を気密に封着し、ガラスランプ管５Ｔの外部において導入線５４の端部に給電用のリード線６ａを接続して外部接続部５ａ、５ｂを形成したものである。また、ガラスランプ管５Ｔの内部においては、導入線５４の端部に電極５６が接続されている。
【００３７】
以上の構成による本実施形態よれば、上述した第１実施形態と同様の作用効果を奏する他、蛍光ランプ５は、直管部５１、５１と、曲がり部５３とからなりＵ字状に形成したガラスランプ管５Ｔからなる屈曲型の蛍光ランプ５であって、曲がり部５３は、当該バックライト装置３が使用状態において、下方に位置するように配設している。従って、蛍光ランプ５の下方での電気的な接続作業を省略することができ、都合が良い。
【００３８】
なお、上述した各実施形態は、本発明の好適な実施例であるが、本発明はこれに限定されるものではなく、本発明の要旨を逸脱しない範囲において、種々変形実施可能である。
【００３９】
例えば、上述した実施形態では、液晶表示装置２を、液晶テレビジョン１に用いた場合について詳述したが、他の計器表示装置に本発明を適用してもよいのは、勿論である。
【図面の簡単な説明】
【００４０】
【図１】本発明の一実施形態に係るバックライト装置を有する液晶表示装置を用いた液晶テレビジョンの概略構成を示すブロック図である。
【図２】図１に示す液晶テレビジョンの概略構成を示す正面図である。
【図３】バックライト装置の概略構成を示す正面図である。
【図４】図３に示すバックライト装置の側面図である。
【図５】図３に示す直管型の蛍光ランプの概略構成を示す一部を断面した断面図である。
【図６】蛍光ランプの高さ方向における輝度変化を説明するための図で、（ａ）は、温度による輝度変化を示す概念図、（ｂ）は、漏れ電流による輝度変化を示す概念図、（ｃ）は、温度と漏れ電流による輝度変化を総合したバックライト装置としての輝度変化を示す概念図である。
【図７】本発明の他の実施形態に係るバックライト装置の概略構成を示す正面図である。
【図８】図７に示すバックライト装置の側面図である。
【図９】図７に示す屈曲型の蛍光ランプの概略構成を示す一部を断面した断面図である。
【図１０】屈曲型の蛍光ランプの他の例を示す概略構成断面図である。
【図１１】従来の蛍光ランプの高さ方向における輝度変化を説明するための図で、（ａ）は、温度による輝度変化を示す概念図、（ｂ）は、漏れ電流による輝度変化を示す概念図、（ｃ）は、温度と漏れ電流による輝度変化を総合したバックライト装置としての輝度変化を示す概念図である。
【符号の説明】
【００４１】
１      液晶テレビジョン
２      液晶表示装置
２１    液晶パネル
３      バックライト装置
３１    光源部
３２    光学部
３３    リアフレーム
４      インバータ回路
４１    インバータ用プリント回路基板
５      蛍光ランプ
５ａ    外部接続部
５ｂ    外部接続部
５Ｔ    ガラスランプ管
５１    直管部
５１ｅ  端部
５３    曲がり部
５０    外部接続部
６ａ    リード線
６ｂ    リード線
【図１】
2009081085.tif 000003
【図２】
2009081085.tif 000004
【図３】
2009081085.tif 000005
【図４】
2009081085.tif 000006
【図５】
2009081085.tif 000007
【図６】
2009081085.tif 000008
【図７】
2009081085.tif 000009
【図８】
2009081085.tif 000010
【図９】
2009081085.tif 000011
【図１０】
2009081085.tif 000012
【図１１】
2009081085.tif 000013